(57)【要約】【課題】画像供給装置からプロジェクターに画像情報を供給するためのネットワーク接続を容易に行うことが可能な画像表示システム、撮像装置、画像供給装置、及びプログラムを提供する。【解決手段】ユーザーが、書画カメラ３の被写体として、プロジェクター２のＩＰアドレスが記された紙をステージ５０ａ上に載置すると、書画カメラ３は、撮像部５２によりこの紙（ＩＰアドレス）を撮像し、撮像画像を解析してＩＰアドレスを検出する。そして、ＩＰアドレスが検出された旨を表す検出情報と、検出されたＩＰアドレスとをコンピューター１に出力する。コンピューター１は、書画カメラ３から検出情報が入力されると、入力されたＩＰアドレス、即ちプロジェクター２へのネットワーク接続を実行し、プロジェクター２に対して、画像情報の供給を開始する。【選択図】図１
2010200224.tif 000002
【特許請求の範囲】
【請求項１】
画像情報に基づく画像を投写するプロジェクターと、前記プロジェクターにネットワークを介して前記画像情報を供給する画像供給装置と、前記プロジェクター及び前記画像供給装置のいずれか一方の装置に接続された撮像装置と、を備えた画像表示システムであって、
前記撮像装置は、前記一方の装置が他方の装置にネットワーク接続するための接続情報を撮像し、
前記一方の装置は、前記撮像装置が撮像した前記接続情報に基づいて、前記他方の装置にネットワーク接続することを特徴とする画像表示システム。
【請求項２】
請求項１に記載の画像表示システムであって、
前記接続情報は、前記他方の装置のＩＰアドレスであることを特徴とする画像表示システム。
【請求項３】
画像情報に基づく画像を投写するプロジェクターと、前記プロジェクターにネットワークを介して前記画像情報を供給する画像供給装置と、前記画像供給装置に接続された撮像装置とを備えた画像表示システムであって、
前記撮像装置は、前記画像供給装置が前記プロジェクターにネットワーク接続するための接続情報を撮像し、
前記画像供給装置は、前記撮像装置が撮像した前記接続情報に基づいて、前記プロジェクターにネットワーク接続を行い、前記プロジェクターに前記画像情報を供給することを特徴とする画像表示システム。
【請求項４】
請求項３に記載の画像表示システムであって、
前記接続情報は、前記プロジェクターのＩＰアドレスであることを特徴とする画像表示システム。
【請求項５】
請求項３又は４に記載の画像表示システムであって、
前記撮像装置は、撮像した画像から前記接続情報を検出して前記画像供給装置に出力し、
前記画像供給装置は、前記撮像装置から入力される前記接続情報に基づいて前記プロジェクターにネットワーク接続を行うことを特徴とする画像表示システム。
【請求項６】
請求項３又は４に記載の画像表示システムであって、
前記画像供給装置は、前記撮像装置が撮像した画像から前記接続情報を検出し、検出した前記接続情報に基づいて前記プロジェクターにネットワーク接続を行うことを特徴とする画像表示システム。
【請求項７】
画像情報に基づく画像を投写するプロジェクター、及び前記プロジェクターにネットワークを介して前記画像情報を供給する画像供給装置のいずれか一方の装置に接続される撮像装置であって、
被写体を撮像して撮像情報を生成する撮像部と、
前記撮像情報に基づく撮像画像から、前記一方の装置が他方の装置にネットワーク接続するための接続情報を検出する接続情報検出部と、
前記接続情報検出部が検出した前記接続情報を、前記一方の装置に出力する接続情報出力部と、
を備えたことを特徴とする撮像装置。
【請求項８】
画像情報に基づく画像を投写するプロジェクターにネットワークを介して接続されるとともに、被写体を撮像して撮像情報を生成する撮像装置に接続された画像供給装置であって、
前記撮像装置から前記撮像情報が入力される撮像情報入力部と、
前記撮像情報に基づく撮像画像から、前記プロジェクターにネットワーク接続するための接続情報を検出する接続情報検出部と、
前記接続情報検出部が前記接続情報を検出した場合に、前記接続情報に基づいて、前記プロジェクターにネットワーク接続を行うネットワーク接続部と、
前記ネットワーク接続された前記プロジェクターに、前記ネットワークを介して前記画像情報を出力する画像情報出力部と、
を備えたことを特徴とする画像供給装置。
【請求項９】
画像情報に基づく画像を投写するプロジェクターにネットワークを介して接続されるとともに、被写体を撮像して撮像情報を生成する撮像装置に接続されたコンピューターに、
前記撮像装置から入力される前記撮像情報に基づく撮像画像から、前記プロジェクターにネットワーク接続するための接続情報を検出する接続情報検出ステップと、
前記接続情報検出ステップで前記接続情報が検出された場合に、前記接続情報に基づいて、前記プロジェクターにネットワーク接続を行うネットワーク接続ステップと、
前記ネットワーク接続された前記プロジェクターに、前記ネットワークを介して前記画像情報を出力する画像情報出力ステップと、
を実行させるプログラム。
【発明の詳細な説明】
【技術分野】
【０００１】
本発明は、画像表示システム、撮像装置、画像供給装置、及びプログラムに関する。
【背景技術】
【０００２】
画像を投写するプロジェクターと、このプロジェクターに画像情報を供給する画像供給装置（例えば、パーソナルコンピューター）とをネットワークを介して接続したシステムが種々提案されている（例えば、特許文献１、２参照）。このようなシステムにおいて、特定の画像供給装置から特定のプロジェクターに画像情報を供給するためには、供給元（画像供給装置）が供給先（プロジェクター）を指定して、或いは供給先が供給元を指定してネットワーク接続を行う必要がある。ここで、接続相手（供給元又は供給先）の指定は、例えば、接続相手の固有情報（例えば、ＩＰアドレス）を入力することにより行われる。
【先行技術文献】
【特許文献】
【０００３】
【特許文献１】特開２００３−１９８９９４号公報
【特許文献２】特開２００５−２０８８２３号公報
【発明の概要】
【発明が解決しようとする課題】
【０００４】
しかしながら、固有情報を１文字ずつ入力することは操作が煩雑であるうえ、ネットワークに複数のプロジェクターが接続されている場合には、入力ミスによって意図しないプロジェクターに画像情報を出力してしまう恐れがある。特許文献２に記載のシステムでは、ネットワーク上のプロジェクターが自動的に検索されてリスト表示され、その中から接続すべきプロジェクターを選択する態様になっているが、プロジェクターの検索に多くの時間を要するうえ、ユーザーが誤って不適切なプロジェクターを選択してしまう恐れもある。
【課題を解決するための手段】
【０００５】
本発明は、上述の課題の少なくとも一部を解決するためになされたものであり、以下の形態又は適用例として実現することが可能である。
【０００６】
［適用例１］本適用例に係る画像表示システムは、画像情報に基づく画像を投写するプロジェクターと、前記プロジェクターにネットワークを介して前記画像情報を供給する画像供給装置と、前記プロジェクター及び前記画像供給装置のいずれか一方の装置に接続された撮像装置と、を備えた画像表示システムであって、前記撮像装置は、前記一方の装置が他方の装置にネットワーク接続するための接続情報を撮像し、前記一方の装置は、前記撮像装置が撮像した前記接続情報に基づいて、前記他方の装置にネットワーク接続することを特徴とする。
【０００７】
この画像表示システムによれば、プロジェクターと画像供給装置のいずれか一方の装置に接続された撮像装置に、他方の装置とネットワーク接続するための接続情報を撮像させれば、プロジェクターと画像供給装置のネットワーク接続がなされる。このため、画像供給装置からプロジェクターに画像情報を供給するためのネットワーク接続を容易に行うことが可能となり、利便性が向上する。
【０００８】
［適用例２］上記適用例に係る画像表示システムにおいて、前記接続情報は、前記他方の装置のＩＰアドレスであってもよい。
【０００９】
［適用例３］本適用例に係る画像表示システムは、画像情報に基づく画像を投写するプロジェクターと、前記プロジェクターにネットワークを介して前記画像情報を供給する画像供給装置と、前記画像供給装置に接続された撮像装置とを備えた画像表示システムであって、前記撮像装置は、前記画像供給装置が前記プロジェクターにネットワーク接続するための接続情報を撮像し、前記画像供給装置は、前記撮像装置が撮像した前記接続情報に基づいて、前記プロジェクターにネットワーク接続を行い、前記プロジェクターに前記画像情報を供給することを特徴とする。
【００１０】
この画像表示システムによれば、画像供給装置に接続された撮像装置に、プロジェクターとネットワーク接続するための接続情報を撮像させれば、画像供給装置とプロジェクターとのネットワーク接続がなされる。このため、画像供給装置からプロジェクターに画像情報を供給するためのネットワーク接続を容易に行うことが可能となり、利便性が向上する。
【００１１】
［適用例４］上記適用例に係る画像表示システムにおいて、前記接続情報は、前記プロジェクターのＩＰアドレスであってもよい。
【００１２】
［適用例５］上記適用例に係る画像表示システムにおいて、前記撮像装置は、撮像した画像から前記接続情報を検出して前記画像供給装置に出力し、前記画像供給装置は、前記撮像装置から入力される前記接続情報に基づいて前記プロジェクターにネットワーク接続を行うようにしてもよい。
【００１３】
［適用例６］上記適用例に係る画像表示システムにおいて、前記画像供給装置は、前記撮像装置が撮像した画像から前記接続情報を検出し、検出した前記接続情報に基づいて前記プロジェクターにネットワーク接続を行うようにしてもよい。
【００１４】
［適用例７］本適用例に係る撮像装置は、画像情報に基づく画像を投写するプロジェクター、及び前記プロジェクターにネットワークを介して前記画像情報を供給する画像供給装置のいずれか一方の装置に接続される撮像装置であって、被写体を撮像して撮像情報を生成する撮像部と、前記撮像情報に基づく撮像画像から、前記一方の装置が他方の装置にネットワーク接続するための接続情報を検出する接続情報検出部と、前記接続情報検出部が検出した前記接続情報を、前記一方の装置に出力する接続情報出力部と、を備えたことを特徴とする。
【００１５】
この撮像装置によれば、接続情報検出部は、一方の装置が他方の装置にネットワーク接続するための接続情報を、撮像部が撮像した撮像画像から検出し、接続情報出力部は、この接続情報を一方の装置に出力する。このため、撮像装置から入力される接続情報を利用することにより、一方の装置から他方の装置へのネットワーク接続を容易に行うことが可能となり、利便性が向上する。
【００１６】
［適用例８］本適用例に係る画像供給装置は、画像情報に基づく画像を投写するプロジェクターにネットワークを介して接続されるとともに、被写体を撮像して撮像情報を生成する撮像装置に接続された画像供給装置であって、前記撮像装置から前記撮像情報が入力される撮像情報入力部と、前記撮像情報に基づく撮像画像から、前記プロジェクターにネットワーク接続するための接続情報を検出する接続情報検出部と、前記接続情報検出部が前記接続情報を検出した場合に、前記接続情報に基づいて、前記プロジェクターにネットワーク接続を行うネットワーク接続部と、前記ネットワーク接続された前記プロジェクターに、前記ネットワークを介して前記画像情報を出力する画像情報出力部と、を備えたことを特徴とする。
【００１７】
この画像供給装置によれば、プロジェクターとネットワーク接続するための接続情報を撮像装置に撮像させれば、接続情報検出部が、撮像画像から接続情報を検出し、ネットワーク接続部が、検出された接続情報に基づいて画像供給装置とプロジェクターとのネットワーク接続を行う。このため、画像供給装置からプロジェクターに画像情報を供給するためのネットワーク接続を容易に行うことが可能となり、利便性が向上する。
【００１８】
［適用例９］本適用例に係るプログラムは、画像情報に基づく画像を投写するプロジェクターにネットワークを介して接続されるとともに、被写体を撮像して撮像情報を生成する撮像装置に接続されたコンピューターに、前記撮像装置から入力される前記撮像情報に基づく撮像画像から、前記プロジェクターにネットワーク接続するための接続情報を検出する接続情報検出ステップと、前記接続情報検出ステップで前記接続情報が検出された場合に、前記接続情報に基づいて、前記プロジェクターにネットワーク接続を行うネットワーク接続ステップと、前記ネットワーク接続された前記プロジェクターに、前記ネットワークを介して前記画像情報を出力する画像情報出力ステップと、を実行させる。
【００１９】
このプログラムによれば、プロジェクターとネットワーク接続するための接続情報を撮像装置に撮像させれば、撮像画像から接続情報が検出され、検出された接続情報に基づいてコンピューターとプロジェクターとのネットワーク接続がなされる。このため、コンピューターからプロジェクターに画像情報を供給するためのネットワーク接続を容易に行うことが可能となり、利便性が向上する。
【図面の簡単な説明】
【００２０】
【図１】第１実施形態の画像表示システムを示す斜視図。
【図２】第１実施形態のコンピューターの概略構成を示すブロック図。
【図３】第１実施形態のプロジェクターの概略構成を示すブロック図。
【図４】第１実施形態の書画カメラの概略構成を示すブロック図。
【図５】第１実施形態の書画カメラの動作を説明するためのフローチャート。
【図６】接続情報（ＩＰアドレス）が記された紙を示す図。
【図７】第１実施形態のネットワーク接続プログラムに基づくコンピューターの動作を説明するフローチャート。
【図８】コンピューターの動作を説明するための説明図であり、動作選択ウィンドウを示す図。
【図９】コンピューターの動作を説明するための説明図であり、液晶ディスプレーの画面を示す図。
【図１０】コンピューターの動作を説明するための説明図であり、ツールバーを示す図。
【図１１】コンピューターの動作を説明するための説明図であり、（ａ）は、液晶ディスプレーの画面を示す図、（ｂ）は、スクリーンを示す図。
【図１２】第２実施形態の書画カメラの概略構成を示すブロック図。
【図１３】コンピューターの動作を説明するための説明図であり、液晶ディスプレーの画面を示す図。
【図１４】第２実施形態の撮像画像表示プログラムに基づくコンピューターの動作を説明するためのフローチャート。
【図１５】第２実施形態のネットワーク接続プログラムに基づくコンピューターの動作を説明するフローチャート。
【図１６】コンピューターの動作を説明するための説明図であり、（ａ）は、液晶ディスプレーの画面を示す図、（ｂ）は、スクリーンを示す図。
【発明を実施するための形態】
【００２１】
以下、画像表示システムの実施形態について、図面を参照して説明する。
【００２２】
（第１実施形態）
図１は、第１実施形態の画像表示システムを示す斜視図である。
図１に示すように、本実施形態の画像表示システム１００は、画像供給装置としてのコンピューター１と、画像表示装置としてのプロジェクター２と、撮像装置としての書画カメラ３とを含んで構成されている。
【００２３】
コンピューター１は、例えば、ノート型のパーソナルコンピューターであり、表示手段である液晶ディスプレー１６、入力手段であるキーボード２０、及びポインティングデバイスであるタッチパッド２１を一体的に備えて構成されている。コンピューター１は、プロジェクター２とともにＬＡＮ（Local Area Network）等のネットワークＮに接続されており、ネットワークＮを介してプロジェクター２に画像情報を供給することができる。
【００２４】
プロジェクター２は、本体が箱状の筐体４５に収容されており、筐体４５の上面には、プロジェクター２に対して各種指示を行うための入力操作部４２が配置されている。プロジェクター２は、コンピューター１からネットワークＮを介して入力される画像情報に基づいて画像を形成し、筐体４５の前面に配置された投写レンズ３３からスクリーン等の被投写物（以降、単に「スクリーンＳ」と呼ぶ。）に投写する。
【００２５】
書画カメラ３は、ＵＳＢ（Universal Serial Bus）によってコンピューター１に接続されている。書画カメラ３は、箱状の筐体５０と、筐体５０の端部から上方に延出する中空の支持アーム５１と、支持アーム５１の上端に固定された撮像部５２とを備えており、筐体５０の上面には、略矩形のステージ５０ａと、複数の操作キーからなる入力操作部５３とが設けられている。ステージ５０ａ上には、原稿等の被写体が載置され、書画カメラ３は、この被写体を撮像部５２で撮像して画像情報を生成し、この画像情報をコンピューター１に出力する。
【００２６】
図２は、コンピューター１の概略構成を示すブロック図である。
図２に示すように、コンピューター１は、ＣＰＵ（Central Processing Unit）１１、２つのブリッジ回路（ノースブリッジ１２、及びサウスブリッジ１３）、ＲＡＭ（Random Access Memory）１４、ビデオコントローラー１５、液晶ディスプレー１６、ハードディスクドライブ１７、光ディスクドライブ１８、ＢＩＯＳ（Basic Input/Output System）が書き込まれたＢＩＯＳ−ＲＯＭ（Read Only Memory）１９、キーボード２０、タッチパッド２１、ネットワークインターフェイス（Ｉ／Ｆ）２２、ＵＳＢインターフェイス（Ｉ／Ｆ）２３等を備えている。
【００２７】
ＣＰＵ１１は、ＲＡＭ１４に読み出された各種プログラム、或いはＢＩＯＳ−ＲＯＭ１９に書き込まれたＢＩＯＳに従って動作することにより、コンピューター１の動作を統括制御する。
【００２８】
ノースブリッジ１２は、ＣＰＵ１１とサウスブリッジ１３との間のブリッジ処理、ＲＡＭ１４の制御、及びビデオコントローラー１５の制御等を行う。ＲＡＭ１４は、ＤＲＡＭ（Dynamic RAM）で構成され、ハードディスクドライブ１７から読み出されたＯＳ（Operating System）やアプリケーションプログラム等を記憶する。また、ＲＡＭ１４は、プログラム実行中における各種データの一時記憶等に用いられる。
【００２９】
ビデオコントローラー１５は、液晶ディスプレー１６に対する画像表示を制御する。ビデオコントローラー１５は、図示しないＶＲＡＭ（Video RAM）を備えており、ＯＳやアプリケーションプログラムを実行するＣＰＵ１１の指示に基づいて、ＶＲＡＭ上にフレーム単位で順次画像情報を生成し、生成した画像情報を液晶ディスプレー１６に出力して、画像情報に基づく画像を液晶ディスプレー１６の画面上に表示させる。
【００３０】
液晶ディスプレー１６は、一対の透明基板間に液晶が封入された透過型の液晶パネルと、液晶パネルの背面側から白色光を照射するバックライトユニットと、液晶パネルを駆動する駆動回路（いずれも図示せず）等を備えている。液晶パネルの内面には、マトリクス状に配列された多数の画素が形成されている。各画素は、赤色（Ｒ）、緑色（Ｇ）、青色（Ｂ）の各色光をそれぞれ透過可能な３つのサブ画素を含んでおり、液晶に対してサブ画素毎に駆動電圧を印加可能になっている。駆動回路が、ビデオコントローラー１５から入力される画像情報に応じた駆動電圧を各サブ画素に印加すると、各サブ画素は、画像情報に応じた光透過率に設定される。このため、バックライトユニットから照射された光は、この液晶パネルを透過することによって変調され、画像情報に応じた画像が液晶パネルの前面側、即ち、液晶ディスプレー１６の画面上に表示される。
【００３１】
サウスブリッジ１３には、各種インターフェイス回路が内蔵されており、ハードディスクドライブ１７、光ディスクドライブ１８、ＢＩＯＳ−ＲＯＭ１９、キーボード２０、タッチパッド２１、ネットワークインターフェイス２２、ＵＳＢインターフェイス２３等が接続されている。ハードディスクドライブ１７は、インストールされたＯＳやアプリケーションプログラム、各種データ等を記憶する。光ディスクドライブ１８は、ＣＤ（Compact Disc）やＤＶＤ（Digital Versatile Disc）等の光ディスクからのデータの読み出しや、光ディスクへのデータの書き込みを行う。
【００３２】
ＢＩＯＳ−ＲＯＭ１９には、ＢＩＯＳが格納されている。ＢＩＯＳは、コンピューター１の起動時にＣＰＵ１１によって読み出されて各種初期化処理やＯＳの起動を行うプログラムとともに、ビデオコントローラー１５、ハードディスクドライブ１７、キーボード２０等の入出力デバイスを制御するプログラムを含んでおり、これら入出力デバイスに対する基本的な入出力制御をＯＳやアプリケーションプログラムに提供する。ＯＳやアプリケーションプログラムを実行するＣＰＵ１１は、直接、或いはＢＩＯＳを介してこれらの入出力デバイスとの入出力を行うことができる。
【００３３】
キーボード２０は、キー操作によって文字や制御コード等を入力するための入力装置であり、タッチパッド２１は、液晶ディスプレー１６に表示されるポインターの移動操作やクリック操作等を行うためのポインティングデバイスである。キーボード２０及びタッチパッド２１は、ユーザーによってなされた操作に基づく操作信号をサウスブリッジ１３に出力し、サウスブリッジ１３は、この操作信号をノースブリッジ１２を介してＣＰＵ１１に伝達する。
【００３４】
ネットワークインターフェイス２２は、外部のネットワーク機器との間でネットワークＮを介した通信を行うものであり、本実施形態では、ネットワーク接続されたプロジェクター２に対して画像情報を出力することができる。なお、ハードディスクドライブ１７には、プロジェクター２とネットワーク接続を行って、プロジェクター２に画像情報を供給するための常駐型のアプリケーションプログラム（ネットワーク接続プログラムＣＰ）がインストールされている。
【００３５】
ＵＳＢインターフェイス２３は、外部の入出力機器との間でＵＳＢ規格に基づくデータ通信を行う。本実施形態のＵＳＢインターフェイス２３には、書画カメラ３が接続されており、書画カメラ３によって撮像された画像（撮像画像）の画像情報が入力される。また、本実施形態のハードディスクドライブ１７には、書画カメラ３からの撮像画像をコンピューター１の液晶ディスプレー１６に表示したり、ハードディスクドライブ１７に保存したりするためのアプリケーションプログラム（撮像画像表示プログラムＤＰ）がインストールされている。
【００３６】
次に、プロジェクター２の概略構成について説明する。
図３は、プロジェクター２の概略構成を示すブロック図である。
図３に示すように、プロジェクター２は、画像投写部３０、制御部４０、記憶部４１、入力操作部４２、ネットワーク通信部４３、画像処理部４４等で構成されており、これらは、筐体４５（図１参照）の内部に収容されている。
【００３７】
画像投写部３０は、光源３１、光変調装置としての３つの液晶ライトバルブ３２Ｒ，３２Ｇ，３２Ｂ、投写光学系としての投写レンズ３３、ライトバルブ駆動部３４等で構成されており、光源３１から射出された光を液晶ライトバルブ３２Ｒ，３２Ｇ，３２Ｂで変調して画像（画像光）を形成し、この画像を投写レンズ３３から投写してスクリーンＳに表示する。
【００３８】
光源３１は、超高圧水銀ランプやメタルハライドランプ等からなる放電型の光源ランプ３１ａと、光源ランプ３１ａが放射した光を液晶ライトバルブ３２Ｒ，３２Ｇ，３２Ｂ側に反射するリフレクター３１ｂとを含んで構成されている。光源３１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ３２Ｒ，３２Ｇ，３２Ｂに入射する。
【００３９】
液晶ライトバルブ３２Ｒ，３２Ｇ，３２Ｂは、それぞれ一対の透明基板間に液晶が封入された透過型の液晶パネル等によって構成される。各液晶パネルには、マトリクス状に配列された複数の画素が形成されており、液晶に対して画素毎に駆動電圧を印加可能になっている。
【００４０】
ライトバルブ駆動部３４が、入力される画像情報に応じた駆動電圧を各画素に印加すると、各画素は、画像情報に応じた光透過率に設定される。このため、光源３１から射出された光は、この液晶ライトバルブ３２Ｒ，３２Ｇ，３２Ｂを透過することによって変調され、画像情報に応じた画像が色光毎に形成される。形成された各色の画像は、図示しない色合成光学系によって画素毎に合成されてカラー画像となった後、投写レンズ３３によってスクリーンＳに拡大投写される。
【００４１】
制御部４０は、ＣＰＵや、各種データ等の一時記憶に用いられるＲＡＭ等を備え、記憶部４１に記憶されている制御プログラムに従って動作することによりプロジェクター２の動作を統括制御する。
【００４２】
記憶部４１は、マスクＲＯＭや、フラッシュメモリー、ＦｅＲＡＭ（Ferroelectric RAM：強誘電体メモリー）等の不揮発性のメモリーにより構成されている。記憶部４１には、プロジェクター２の動作を制御するための制御プログラムや、プロジェクター２の動作条件等を規定する各種設定データ等が記憶されている。
【００４３】
入力操作部４２は、ユーザーがプロジェクター２に対して各種指示を行うための複数の操作キーを備えている。入力操作部４２が備える操作キーとしては、電源のオン・オフを切り替えるための「電源キー」、各種設定を行うための設定メニューを表示させる「メニューキー」等がある。ユーザーが入力操作部４２の各種操作キーを操作すると、入力操作部４２は、ユーザーの操作内容に応じた操作信号を制御部４０に出力する。なお、入力操作部４２として、遠隔操作が可能なリモコン（図示せず）を用いた構成としてもよい。この場合、リモコンは、ユーザーの操作内容に応じた赤外線の操作信号を発信し、図示しないリモコン信号受信部がこれを受信して制御部４０に伝達する。
【００４４】
ネットワーク通信部４３は、ネットワークＮを介したデータ通信を行うものであり、制御部４０は、ネットワーク通信部４３を介して、ネットワークＮに接続された外部のネットワーク機器とデータの授受を行うことができる。また、本実施形態のネットワーク通信部４３は、ネットワーク接続されたコンピューター１から画像情報を受け取ることが可能になっており、ネットワーク通信部４３に画像情報が入力されると、ネットワーク通信部４３は、入力された画像情報を画像処理部４４に出力する。
【００４５】
画像処理部４４は、ネットワーク通信部４３から入力される画像情報を、液晶ライトバルブ３２Ｒ，３２Ｇ，３２Ｂの各画素の階調を表す画像情報、即ち各画素に印加する駆動電圧を規定するための画像情報に変換する。さらに、画像処理部４４は、制御部４０の指示に基づき、変換した画像情報に対して、明るさ、コントラスト、シャープネス、色合い等、画質を調整するための処理等を行い、処理後の画像情報をライトバルブ駆動部３４に出力する。
【００４６】
ライトバルブ駆動部３４が、入力される画像情報に従って液晶ライトバルブ３２Ｒ，３２Ｇ，３２Ｂを駆動すると、液晶ライトバルブ３２Ｒ，３２Ｇ，３２Ｂは、画像情報に応じた画像を形成し、この画像が投写レンズ３３からスクリーンＳに投写される。
【００４７】
次に、書画カメラ３の概略構成について説明する。
図４は、書画カメラ３の概略構成を示すブロック図である。
図４に示すように、書画カメラ３は、上述した撮像部５２及び入力操作部５３に加えて、制御部５４、記憶部５５、画像処理部５６、ＵＳＢインターフェイス（Ｉ／Ｆ）５７、画像解析部５８等を備えて構成され、これらは筐体５０（図１参照）の内部に収容されている。
【００４８】
制御部５４は、ＣＰＵ及びＲＡＭ等によって構成されており、記憶部５５に記憶されている制御プログラムに従って動作することにより、書画カメラ３の動作を統括制御する。つまり、制御部５４は、記憶部５５とともにコンピューターとして機能する。
【００４９】
記憶部５５は、マスクＲＯＭや、フラッシュメモリー、ＦｅＲＡＭ等の不揮発性のメモリーにより構成されている。記憶部５５には、書画カメラ３の動作を制御するための制御プログラムや、書画カメラ３の動作条件等を規定する各種設定データ等が記憶されている。
【００５０】
入力操作部５３は、ユーザーからの入力操作を受け付けるものであり、書画カメラ３に対して各種指示を行うための複数の操作キーを備えている。入力操作部５３が備える操作キーとしては、電源のオン・オフを切り替えるための「電源キー」や、ズーム操作を行うための「ズームキー」等がある。ユーザーが入力操作部５３の各種操作キーを操作すると、入力操作部５３は、この入力操作を受け付けて、ユーザーの操作内容に応じた操作信号を制御部５４に出力する。
【００５１】
撮像部５２は、ＣＣＤ（Charge Coupled Device）センサーやＣＭＯＳ（Complementary Metal Oxide Semiconductor）センサー等からなる撮像素子（図示せず）と、被写体で反射した光を撮像素子の受光面上に結像させる撮像レンズ（図示せず）とを備えており、ステージ５０ａの全域と略一致する矩形の範囲を撮像可能になっている。撮像素子の受光面には、マトリクス状に配列された複数の画素（受光画素）が形成されており、撮像部５２は、各画素の受光量に基づく画像情報を所定のフレームレートで生成する。この画像情報は、撮像素子上のすべての画素に対応する複数の画素値によって構成されており、支持アーム５１（図１参照）の内部に配線されているケーブル（図示せず）を介して画像処理部５６及び画像解析部５８に順次出力される。
【００５２】
画像処理部５６は、制御部５４の指示に基づいて、撮像部５２から入力される画像情報をコンピューター１で利用可能な形式の画像情報に変換し、変換後の画像情報をＵＳＢインターフェイス５７に出力する。そして、ＵＳＢインターフェイス５７は、画像処理部５６から入力される画像情報を外部のホスト機器、即ち、コンピューター１に出力する。なお、本明細書では、書画カメラ３が生成してコンピューター１に出力する画像情報のことを、「撮像情報」とも呼ぶ。
【００５３】
画像解析部５８は、撮像部５２から入力される画像情報に基づいて、撮像された画像（撮像画像）を解析し、撮像画像内に含まれる文字列（厳密には、文字列と想定される部位）の検出を行う。文字列の検出は、例えば、撮像画像の濃淡の分布を解析することにより行われる。
【００５４】
図５は、書画カメラ３の動作を説明するためのフローチャートであり、画像解析部５８が撮像画像内に文字列を検出した場合の動作を示している。
図５に示すように、画像解析部５８は、撮像画像内に文字列を検出すると、検出した文字列が、コンピューター１からプロジェクター２にネットワーク接続するための接続情報であるか否かを判断する（ステップＳ１０１）。本実施形態の画像解析部５８は、接続情報としてＩＰ（Internet Protocol）アドレスを検出可能になっており、検出した文字列が、「．（ドット）」で区切られた４組の数字列である場合に、ＩＰアドレスであると判断する。なお、画像解析部５８は、撮像画像内に文字列を検出すると、検出した文字列を撮像画像から抽出し、濃淡の連結性に基づいてこの部位を１文字ずつの複数の部位に分割する。そして、分割後の各部位の濃淡のパターン（形状）と、予め記憶されている０〜９の数字のパターンとを比較することにより、各部位の数字を特定することができる。
【００５５】
そして、画像解析部５８は、検出した文字列がＩＰアドレスであると判断した場合には、ＩＰアドレスが検出された旨を表す検出情報と、検出されたＩＰアドレスとをＵＳＢインターフェイス５７からコンピューター１に出力し（ステップＳ１０２）、その後、フローを終了する。一方、検出した文字列がＩＰアドレスでないと判断した場合には、検出情報等を出力することなく、そのままフローを終了する。
【００５６】
書画カメラ３は、上記のような構成になっており、ユーザーによって入力操作部５３の電源キーが操作されて電源がオンになると、書画カメラ３は、撮像部５２による撮像を開始し、ＵＳＢインターフェイス５７から画像情報（撮像情報）が出力される。その後、ユーザーが、プロジェクター２のＩＰアドレスが記された紙Ｐ１（図６参照）を被写体としてステージ５０ａ上に載置すると、書画カメラ３は、撮像部５２によりこの紙Ｐ１（ＩＰアドレス）を撮像し、画像解析部５８により撮像画像の解析を行う。そして、画像解析部５８によってＩＰアドレスが検出されると、書画カメラ３は、ＵＳＢインターフェイス５７から検出情報及びＩＰアドレスをコンピューター１に出力する。
【００５７】
次に、コンピューター１の動作について説明する。
コンピューター１に電源が投入されると、ＣＰＵ１１は、ＢＩＯＳ−ＲＯＭ１９に記憶されているＢＩＯＳに従ってブート処理を行い、ハードディスクドライブ１７に記憶されているＯＳを起動し（ＲＡＭ１４に読み込み）、ＯＳに従った動作を開始する。そして、ＣＰＵ１１は、ビデオコントローラー１５に指示をして、液晶ディスプレー１６の画面上に所定の初期画面を表示させる。
【００５８】
ＯＳの起動が完了すると、コンピューター１は、アプリケーションプログラムの起動が可能な状態となり、ユーザーは、キーボード２０やタッチパッド２１等を操作して所望のアプリケーションプログラムの起動を指示することができる。アプリケーションプログラムの起動が指示されると、ＣＰＵ１１は、指示されたアプリケーションプログラムをハードディスクドライブ１７からＲＡＭ１４に読み込んで、このアプリケーションプログラムに従った動作を開始する。また、ユーザーの操作によらずに自動的に起動すべきアプリケーションプログラムがＯＳに登録されている場合には、ＣＰＵ１１は、ＯＳの起動完了後にこれらのアプリケーションプログラムを自動的に起動させるようになっている。本実施形態では、自動起動するアプリケーションプログラムとして、上述したネットワーク接続プログラムＣＰが登録されている。本実施形態のネットワーク接続プログラムＣＰは、書画カメラ３からの検出情報の入力を監視するようになっており、書画カメラ３から検出情報が入力された場合に、プロジェクター２とのネットワーク接続を実行する。
【００５９】
図７は、ネットワーク接続プログラムＣＰに基づくコンピューター１の動作を説明するフローチャートであり、図８〜図１１は、コンピューター１の動作を説明するための説明図である。ネットワーク接続プログラムＣＰが起動した状態で、書画カメラ３から検出情報が入力されると、ＣＰＵ１１は、図７に示すフローに従って動作する。
【００６０】
図７に示すように、書画カメラ３から検出情報が入力されると、ＣＰＵ１１は、液晶ディスプレー１６の画面上に動作選択ウィンドウＷ１（図８参照）を表示させて、所望の動作をユーザーに選択させる（ステップＳ１１１）。
【００６１】
図８に示すように、動作選択ウィンドウＷ１には、ＩＰアドレスが検出された旨のメッセージと、このＩＰアドレスにネットワーク接続を行うかを問うメッセージが含まれている。さらに、動作選択ウィンドウＷ１には、ネットワーク接続を行う場合に操作すべきボタン（ＹｅｓボタンＢ１）と、ネットワーク接続を行わない場合に操作すべきボタン（ＮｏボタンＢ２）の２つのボタンが配置されており、ユーザーは、タッチパッド２１によっていずれかのボタンをクリック操作することによって、所望の動作を選択することができる。
【００６２】
次いで、ＣＰＵ１１は、ユーザーの選択結果に基づいて、検出情報とともに入力されたＩＰアドレスへのネットワーク接続を行うか否かを判断する（ステップＳ１１２）。そして、ユーザーによりＮｏボタンＢ２が選択された場合、即ちネットワーク接続を行わない場合には、ＣＰＵ１１は、ビデオコントローラー１５に指示をして、動作選択ウィンドウＷ１を消去させるとともに、上述した撮像画像表示プログラムＤＰを起動して（ステップＳ１１３）、フローを終了する。
【００６３】
撮像画像表示プログラムＤＰが起動すると、ＣＰＵ１１は、ビデオコントローラー１５に指示をして、液晶ディスプレー１６の画面上に撮像画像表示ウィンドウＷ２（図９参照）を表示させるとともに、この撮像画像表示ウィンドウＷ２内に書画カメラ３からの撮像画像を表示させる。この結果、書画カメラ３のステージ５０ａ上に載置された紙（ＩＰアドレスが記された紙）Ｐ１が撮像画像として撮像画像表示ウィンドウＷ２に表示される。
【００６４】
一方、動作選択ウィンドウＷ１において、ユーザーによりＹｅｓボタンＢ１が選択された場合、即ちネットワーク接続を行う場合には、ＣＰＵ１１は、入力されたＩＰアドレスに基づいて、プロジェクター２へのネットワーク接続を実行する（ステップＳ１１４）。具体的には、ＣＰＵ１１は、入力されたＩＰアドレスに対して、ネットワークインターフェイス２２から接続要求を通知する。そして、プロジェクター２が、この接続要求に対する応答として、接続を許可する通知をコンピューター１に行うと、コンピューター１とプロジェクター２とのネットワーク接続が確立する。
【００６５】
ネットワーク接続が確立すると、ＣＰＵ１１は、ビデオコントローラー１５に指示をして動作選択ウィンドウＷ１を消去させるとともに、液晶ディスプレー１６にツールバーＷ３（図１０参照）を表示させる（ステップＳ１１５）。図１０に示すように、ツールバーＷ３には、ネットワーク接続を切断するための切断ボタンＢ３等、様々なボタンが含まれており、ユーザーは、これらのボタンをクリック操作することによって、ネットワーク接続の状態やプロジェクター２の投写状態等を制御することができる。
【００６６】
その後、ＣＰＵ１１は、プロジェクター２への画像情報の供給を開始して（ステップＳ１１６）、フローを終了する。これ以降、ＣＰＵ１１は、ビデオコントローラー１５が液晶ディスプレー１６に表示させる画像を順次キャプチャーし、この画像を画像情報としてネットワークインターフェイス２２からプロジェクター２に出力する。この結果、図１１（ａ）、（ｂ）に示すように、液晶ディスプレー１６に表示されている画像がプロジェクター２からスクリーンＳに投写される。ただし、ネットワーク接続プログラムＣＰは、ツールバーＷ３を含まない画像をキャプチャーさせるようになっており、プロジェクター２が投写する画像には、ツールバーＷ３は含まれない。また、ユーザーが撮像画像表示プログラムＤＰを別途起動させれば、書画カメラ３の撮像画像をプロジェクター２から投写させることもできる。
【００６７】
以上説明したように、本実施形態の画像表示システム１００によれば、コンピューター１に接続された書画カメラ３に、プロジェクター２とネットワーク接続するための接続情報（ＩＰアドレス）を撮像させれば、コンピューター１とプロジェクター２とのネットワーク接続がなされる。このため、コンピューター１からプロジェクター２に画像情報を供給するためのネットワーク接続を容易に行うことが可能となり、利便性が向上する。
【００６８】
なお、本実施形態では、撮像画像を解析して接続情報（ＩＰアドレス）を検出する画像解析部５８が、接続情報検出部に相当し、検出したＩＰアドレスをコンピューター１に出力するＵＳＢインターフェイス５７が、接続情報出力部に相当する。
【００６９】
（第２実施形態）
次に、第２実施形態の画像表示システムについて説明する。なお、第１実施形態と同一の構成要素には同一の符号を付し、その詳細な説明は省略する。
【００７０】
本実施形態の画像表示システム１００は、第１実施形態と同様、コンピューター１とプロジェクター２と書画カメラ３とを含んで構成されており（図１参照）、コンピューター１とプロジェクター２は、第１の実施形態と同一のハードウェア構成（図２及び図３参照）である。ただし、本実施形態のコンピューター１のハードディスクドライブ１７にインストールされているネットワーク接続プログラムＣＰ及び撮像画像表示プログラムＤＰの機能は、第１実施形態と同一ではない。また、図１２に示すように、本実施形態の書画カメラ３は、画像解析部５８（図４参照）を具備しておらず、接続情報（ＩＰアドレス）の検出を行うことはできない。つまり、本実施形態の書画カメラ３は、一般的な書画カメラであり、ＵＳＢインターフェイス５７から画像情報の出力は行うものの、検出情報及びＩＰアドレスの出力は行わない。その代わりに、本実施形態では、撮像画像からＩＰアドレスを検出する機能が撮像画像表示プログラムＤＰに備わっている。
【００７１】
本実施形態のコンピューター１のＯＳには、この撮像画像表示プログラムＤＰが自動起動するように登録されており、ＯＳの起動が完了すると、撮像画像表示プログラムＤＰが自動的に起動して常駐し、書画カメラ３からの画像情報の入力をＣＰＵ１１に監視させる。そして、ＣＰＵ１１は、ＵＳＢインターフェイス２３への画像情報の入力を検知すると、ビデオコントローラー１５に指示をして、液晶ディスプレー１６の画面上に撮像画像表示ウィンドウＷ２を表示させるとともに、書画カメラ３から入力される画像情報に基づく画像（撮像画像）を撮像画像表示ウィンドウＷ２内に表示させる（図１３参照）。これにより、書画カメラ３のステージ５０ａに載置されている被写体（例えば、資料Ｐ２）が撮像画像として表示される。さらに、本実施形態の撮像画像表示プログラムＤＰは、ＣＰＵ１１に撮像画像を解析させて、撮像画像内に含まれる文字列の検出を行わせる。
【００７２】
図１４は、本実施形態の撮像画像表示プログラムＤＰに基づくコンピューター１の動作を説明するためのフローチャートであり、ＣＰＵ１１が撮像画像内に文字列を検出した場合の動作を示している。
図１４に示すように、ＣＰＵ１１は、第１実施形態における書画カメラ３（画像解析部５８）と同様の解析を行って、撮像画像内に文字列を検出すると、検出した文字列が、コンピューター１からプロジェクター２にネットワーク接続するための接続情報（ＩＰアドレス）であるか否かを判断する（ステップＳ２０１）。そして、検出した文字列がＩＰアドレスではないと判断した場合には、そのままフローを終了する。
【００７３】
一方、検出した文字列がＩＰアドレスであると判断した場合、即ち、ＩＰアドレスが記された紙Ｐ１（図６参照）等が書画カメラ３のステージ５０ａ上に載置され、このＩＰアドレスがＣＰＵ１１に検出された場合には、ＣＰＵ１１は、検出したＩＰアドレスをＲＡＭ１４に記憶する。（ステップＳ２０２）。そして、ＣＰＵ１１は、ビデオコントローラー１５に指示をして、第１実施形態と同様の動作選択ウィンドウＷ１（図８参照）を液晶ディスプレー１６の画面上に表示させて、所望の動作をユーザーに選択させる（ステップＳ２０３）。
【００７４】
次いで、ＣＰＵ１１は、ユーザーの選択結果に基づいて、入力されたＩＰアドレスへのネットワーク接続を行うか否かを判断する（ステップＳ２０４）。そして、ユーザーによりＮｏボタンＢ２が選択された場合、即ちネットワーク接続を行わない場合には、ＣＰＵ１１は、ビデオコントローラー１５に動作選択ウィンドウＷ１を消去させ、フローを終了する。
【００７５】
一方、ユーザーによりＹｅｓボタンＢ１が選択された場合、即ちネットワーク接続を行う場合には、ＣＰＵ１１は、ビデオコントローラー１５に動作選択ウィンドウＷ１を消去させるとともに、ハードディスクドライブ１７に記憶されているネットワーク接続プログラムＣＰを起動して（ステップＳ２０５）、フローを終了する。そして、これ以降、ＣＰＵ１１は、ネットワーク接続プログラムＣＰに従って動作する。
【００７６】
図１５は、本実施形態のネットワーク接続プログラムＣＰに基づくコンピューター１の動作を説明するフローチャートである。
図１５に示すように、ネットワーク接続プログラムＣＰが起動すると、ＣＰＵ１１は、検出されたＩＰアドレスの装置（プロジェクター２）へのネットワーク接続を実行する（ステップＳ２１１）。具体的には、ＣＰＵ１１は、検出されたＩＰアドレスをＲＡＭ１４から読み出し、このＩＰアドレスに対して、ネットワークインターフェイス２２から接続要求を通知する。そして、この接続要求に対する応答として、プロジェクター２がコンピューター１に接続を許可する通知を行うと、コンピューター１とプロジェクター２とのネットワーク接続が確立する。
【００７７】
ネットワーク接続が確立すると、ＣＰＵ１１は、液晶ディスプレー１６にツールバーＷ３（図１０参照）を表示させる（ステップＳ２１２）。
【００７８】
その後、ＣＰＵ１１は、プロジェクター２に対して、ネットワークＮを介した画像情報の供給を開始して（ステップＳ２１３）、フローを終了する。これ以降、ＣＰＵ１１は、ビデオコントローラー１５が液晶ディスプレー１６に表示させる画像を順次キャプチャーし、この画像を画像情報としてネットワークインターフェイス２２からプロジェクター２に送信する。この結果、図１６に示すように、液晶ディスプレー１６に表示されている画像がプロジェクター２からスクリーンＳに投写される。本実施形態では、液晶ディスプレー１６に撮像画像表示ウィンドウＷ２が表示されているため、プロジェクター２から投写される画像にも撮像画像表示ウィンドウＷ２が含まれる。なお、ユーザーが必ずしも書画カメラ３の撮像画像をプロジェクター２から投写したいとは限らないため、ステップＳ２０５において撮像画像表示プログラムＤＰからネットワーク接続プログラムＣＰを起動する際に、撮像画像表示ウィンドウＷ２を閉じる（画面から消去する）ようにしてもよい。
【００７９】
以上説明したように、本実施形態の画像表示システム１００によれば、第１実施形態と同様の効果を得ることができる。また、本実施形態では、接続情報（ＩＰアドレス）の検出を、書画カメラ３ではなくコンピューター１が行うようにしているため、一般的な書画カメラ３を利用することが可能になり、画像表示システム１００の実現が容易になる。
【００８０】
なお、本実施形態では、書画カメラ３から画像情報（撮像情報）が入力されるＵＳＢインターフェイス２３が、撮像情報入力部に相当し、ステップＳ２０１において撮像画像から接続情報（ＩＰアドレス）を検出する際のＣＰＵ１１が、接続情報検出部に相当する。また、ステップＳ２１１においてプロジェクター２にネットワーク接続を行う際のＣＰＵ１１とネットワークインターフェイス２２とが、ネットワーク接続部に相当し、プロジェクター２に画像情報を供給する際のＣＰＵ１１とネットワークインターフェイス２２とが、画像情報出力部に相当する。
【００８１】
（変形例）
なお、上記実施形態は、以下のように変更してもよい。
【００８２】
上記実施形態におけるプログラムの構成（ソフトウェア構成）は、上述した構成に限定されない。例えば、ネットワーク接続プログラムＣＰと撮像画像表示プログラムＤＰとを一体化して１つのプログラムにしてもよいし、機能を細分化して、より多数のプログラムで構成するようにしてもよい。
【００８３】
上記実施形態では、文字列（数字列）として記された接続情報（ＩＰアドレス）を検出する構成を示したが、バーコードや２次元コード等のように、符号化（図形化）された接続情報を検出して復号化する構成としてもよい。
【００８４】
上記実施形態では、ネットワーク接続を行うための接続情報として、プロジェクター２のＩＰアドレスを用いているが、接続対象を識別可能な情報であれば、接続情報はＩＰアドレスに限定されない。例えば、ネットワークＮ上でプロジェクター２を識別するために付した個別の名称を用いるようにしてもよい。
【００８５】
上記実施形態において、ネットワークＮは、有線ネットワークに限定されず、無線ＬＡＮ等の無線ネットワークであってもよい。このとき、コンピューター１とプロジェクター２とのネットワーク接続は、アクセスポイントを介在させた接続（インフラストラクチャーモード）であってもよいし、アクセスポイントを介在させない接続（アドホックモード）であってもよい。
【００８６】
上記実施形態では、書画カメラ３がコンピューター１に接続され、書画カメラ３が撮像したプロジェクター２のＩＰアドレスを用いてコンピューター１からプロジェクター２にネットワーク接続する態様を示したが、書画カメラ３をプロジェクター２に接続し、書画カメラ３が撮像したコンピューター１のＩＰアドレスを用いてプロジェクター２からコンピューター１に接続する態様とすることも可能である。
【００８７】
上記実施形態では、光変調装置として３つの液晶ライトバルブ３２Ｒ，３２Ｇ，３２Ｂを用いた３板式のプロジェクター２について説明したが、プロジェクター２の構成はこれに限定されない。例えば、各画素の中にそれぞれＲ光、Ｇ光、Ｂ光を透過可能なサブ画素を含んだ１つの液晶ライトバルブによって画像を形成する態様とすることも可能である。
【００８８】
上記実施形態では、プロジェクター２の光変調装置として、透過型の液晶ライトバルブ３２Ｒ，３２Ｇ，３２Ｂを用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【００８９】
上記実施形態では、プロジェクター２の光源３１は、放電型の光源ランプ３１ａによって構成されているが、ＬＥＤ（Light Emitting Diode：発光ダイオード）光源等の固体光源や、その他の光源を用いることもできる。
【００９０】
上記実施形態では、画像供給装置の例として、表示手段（液晶ディスプレー１６）、入力手段（キーボード２０）、ポインティングデバイス（タッチパッド２１）を一体的に備えたノート型のパーソナルコンピューター（コンピューター１）について説明したが、画像供給装置は、ノート型のパーソナルコンピューターに限定されない。例えば、デスクトップ型のパーソナルコンピューターのように、表示手段、入力手段、及びポインティングデバイスの全部又は一部を外付けで備える構成のパーソナルコンピューターであってもよい。また、ネットワークＮを介して画像情報を供給可能な構成を有していれば、パーソナルコンピューター以外の装置（映像再生装置等）であってもよい。
【００９１】
上記実施形態では、撮像装置の例として、書画カメラ３について説明したが、撮像装置は書画カメラ３に限定されず、ビデオカメラやスキャナー等、他の撮像装置を用いるようにしてもよい。
【符号の説明】
【００９２】
１…コンピューター、２…プロジェクター、３…書画カメラ、１１…ＣＰＵ、１２…ノースブリッジ、１３…サウスブリッジ、１４…ＲＡＭ、１５…ビデオコントローラー、１６…液晶ディスプレー、１７…ハードディスクドライブ、１８…光ディスクドライブ、１９…ＢＩＯＳ−ＲＯＭ、２０…キーボード、２１…タッチパッド、２２…ネットワークインターフェイス、２３…ＵＳＢインターフェイス、３０…画像投写部、３１…光源、３１ａ…光源ランプ、３１ｂ…リフレクター、３２Ｒ，３２Ｇ，３２Ｂ…液晶ライトバルブ、３３…投写レンズ、３４…ライトバルブ駆動部、４０…制御部、４１…記憶部、４２…入力操作部、４３…ネットワーク通信部、４４…画像処理部、４５…筐体、５０…筐体、５０ａ…ステージ、５１…支持アーム、５２…撮像部、５３…入力操作部、５４…制御部、５５…記憶部、５６…画像処理部、５７…ＵＳＢインターフェイス、５８…画像解析部、１００…画像表示システム、Ｎ…ネットワーク、Ｐ１…紙、Ｐ２…資料、Ｓ…スクリーン、ＣＰ…ネットワーク接続プログラム、ＤＰ…撮像画像表示プログラム、Ｗ１…動作選択ウィンドウ、Ｗ２…撮像画像表示ウィンドウ、Ｗ３…ツールバー、Ｂ１…Ｙｅｓボタン、Ｂ２…Ｎｏボタン、Ｂ３…切断ボタン。
【図１】
2010200224.tif 000003
【図２】
2010200224.tif 000004
【図３】
2010200224.tif 000005
【図４】
2010200224.tif 000006
【図５】
2010200224.tif 000007
【図６】
2010200224.tif 000008
【図７】
2010200224.tif 000009
【図８】
2010200224.tif 000010
【図９】
2010200224.tif 000011
【図１０】
2010200224.tif 000012
【図１１】
2010200224.tif 000013
【図１２】
2010200224.tif 000014
【図１３】
2010200224.tif 000015
【図１４】
2010200224.tif 000016
【図１５】
2010200224.tif 000017
【図１６】
2010200224.tif 000018